(57)【要約】【課題】着用時のプレーへの影響を極力小さなものとしながらも、心臓震盪の発症を効果的に抑止できる球技用心臓防護シャツを提供する。【解決手段】心臓部Ａを被覆防護するための心臓防護パット１がシャツ心臓相当部２ｂに着脱自在に備えられている球技用心臓防護シャツ２において、心臓防護パット１を挿脱可能なポケット部３が、そのポケット内部の一部にシャツ心臓相当部２ｂを含む形状に形成されているとともに、ポケット内部において心臓防護パット１のシャツ心臓相当部２ｂからの移動を抑止する移動抑止手段４が設けられている。【選択図】図１
2008050703.tif 000002
【特許請求の範囲】
【請求項１】
心臓部を被覆防護するための心臓防護パットがシャツ心臓相当部に着脱自在に備えられている球技用心臓防護シャツであって、
前記心臓防護パットを挿脱可能なポケット部が、そのポケット内部の一部にシャツ心臓相当部を含む形状に形成されているとともに、
前記ポケット内部において前記心臓防護パットのシャツ心臓相当部からの移動を抑止する移動抑止手段が設けられている球技用心臓防護シャツ。
【請求項２】
前記ポケット内部において前記心臓防護パットをシャツ心臓相当部に案内する案内手段が設けられている請求項１記載の球技用心臓防護シャツ。
【請求項３】
前記ポケット部の底部が凹形状に形成されているとともに、前記心臓防護パットの下部がポケット部の凹状底部の中央部に対し心臓防護パットがシャツ心臓相当部に位置する状態で係合する凸形状に形成されている請求項２記載の球技用心臓防護シャツ。
【請求項４】
前記ポケット部のパット挿脱口が拡形側に弾性変形可能に構成され、そのパット挿脱口の拡形側への弾性変形により前記心臓防護パットの挿脱が可能とされている請求項１〜３のいずれか１項に記載の球技用心臓防護シャツ。
【請求項５】
前記心臓防護パットには、前記パット挿脱口に挿入される過程でパット挿脱口を拡形側に押し広げる挿入ガイド部が形成されている請求項４記載の球技用心臓防護シャツ。
【請求項６】
請求項１〜５のいずれか１項に記載の球技用心臓防護シャツに用いられる心臓防護パットであって、
着用者に対する当て付け部が、パット周方向に沿って間隔を空けた状態で分散形成されている心臓防護パット。
【発明の詳細な説明】
【技術分野】
【０００１】
本発明は、心臓震盪の発症を抑止する目的で球技時に着用される球技用心臓防護シャツ及びそれに用いられる心臓防護パットに関するものである。
【背景技術】
【０００２】
近年、心臓への衝撃により心停止に至る心臓震盪という症状が注目されている。この症状は、衝撃により肋骨や胸骨が折れたり心臓の筋肉が損傷したりするなどの物理的障害により発症するのではなく、衝撃による心室細動という心臓の機能的障害により衝撃力の強弱にあまり関係なく発症することが知られている。
【０００３】
そして、このような心臓震盪の発症が、野球やソフトボール、ラクロス、ホッケーなどの球技時での発症割合が高いことが報告されていることから、球技時での心臓震盪の発症を抑止する心臓防護具として、例えば、（１）着用者の胸中央部を覆う断面略球面状の硬質プレートの裏面に軟質の当て付け体を設けて構成した心臓防護パットに着用者の胸部に固定するための帯紐を設けたもの（下記特許文献１参照）、或いは、（２）軟質の衝撃吸収材からなる板状部材を衣服の心臓相当部に展着したもの（下記特許文献２参照）が開発されている。
【０００４】
しかし、上記（１）の場合では、硬質プレートによる衝撃力の誘導作用と衝撃吸収材による衝撃力の吸収作用とによって心臓への衝撃を効果的に抑止することができるものの、着用者の胸部に固定するための帯紐をユニフォームやその下に着用するアンダーシャツなどの球技用シャツとは別に着用しなければならないために、その帯紐を着用する分だけ、球技時における着用者の運動負荷が増大してしまう問題がある。
【０００５】
また、上記（２）の場合では、上記（１）のように球技時における着用者の運動負荷が増大することは抑止できるものの、軟質の衝撃吸収材による衝撃力の吸収効果だけでは心臓への衝撃を十分には抑止することができない問題があり、しかも、球技用シャツの洗濯によって板状部材に変形や変態又は損傷などの不具合が生じてしまう虞もある。
【０００６】
これらの問題を解消するのに、例えば、上記（１）の技術に、上着の裏面に防護パットと同形状のポケット部を設けた防刃用又は防弾用上着（下記特許文献３参照）の技術を適用して、すなわち、球技用シャツに心臓防護パットと同形状のポケット部を形成して心臓防護パットが着脱自在な球技用心臓防護シャツを構成することが考えられる。
【特許文献１】実開平６−２３５６９号公報
【特許文献２】実用新案登録第３１２０２５４号公報
【特許文献３】特開平１１−１８３０９３号公報
【発明の開示】
【発明が解決しようとする課題】
【０００７】
ところが、球技用シャツに心臓防護パットと同形状のポケット部を形成する上記の如き球技用心臓防護シャツでは、着用者に対して比較的硬質の心臓防護パットがポケット部により移動規制されることから、その移動規制された心臓防護パットが着用者の筋肉の伸縮動作に負荷を与えたり、さらには、心臓防護パットが筋肉の伸縮動作を規制したりするなど、着用者の球技時のプレーに重大な影響を及ぼしてしまう虞がある。
【０００８】
これらの実情に鑑み、本発明の主たる課題は、着用時のプレーへの影響を極力小さなものとしながらも、衝撃による心臓震盪の発症を効果的に抑止することのできる球技用心臓防護シャツ及びそれに用いられる心臓防護パットを提供する点にある。
【課題を解決するための手段】
【０００９】
本発明の第１特徴構成は球技用心臓防護具に係り、その特徴は、
心臓部を被覆防護するための心臓防護パットがシャツ心臓相当部に着脱自在に備えられている球技用心臓防護シャツであって、
前記心臓防護パットを挿脱可能なポケット部が、そのポケット内部の一部にシャツ心臓相当部を含む形状に形成されているとともに、
前記ポケット内部において前記心臓防護パットのシャツ心臓相当部からの移動を抑止する移動抑止手段が設けられている点にある。
【００１０】
つまり、上記第１特徴構成によれば、着用者の球技時の動作に対してポケット内部おける心臓防護パットの移動をある程度は許容して、着用時のプレーへの影響を極力小さなものとすることができながらも、移動抑止手段によって心臓防護パットのシャツ心臓相当部からの移動を抑止して球技中の着用者の心臓を効果的に防護することができて、心臓震盪の発症を効果的に抑止することができる。
【００１１】
本発明の第２特徴構成は、第１特徴構成の実施に好適な実施形態を特定するものであり、その特徴は、
前記ポケット内部において前記心臓防護パットをシャツ心臓相当部に案内する案内手段が設けられている点にある。
【００１２】
つまり、上記第２特徴構成によれば、球技中の着用者の動作によりポケット内部において心臓防護パットがシャツ心臓相当部から外れてしまった場合、或いは、球技前にポケット内部に心臓防護パットを挿入する場合などにおいて、案内手段により心臓防護パットをシャツ心臓相当部に案内することができるから、これらの場合でも、心臓防護パットをシャツ心臓相当部に容易且つ確実に配置することができる。
【００１３】
本発明の第３特徴構成は、第２特徴構成の実施に好適な実施形態を特定するものであり、その特徴は、
前記ポケット部の底部が凹形状に形成されているとともに、前記心臓防護パットの下部がポケット部の凹状底部の中央部に対し心臓防護パットがシャツ心臓相当部に位置する状態で係合する凸形状に形成されている点にある。
【００１４】
つまり、上記第３特徴構成によれば、前記ポケット部の底部の凹形状に沿って前記心臓防護パットをポケット部の凹状底部の中央部に案内して、心臓防護パットをシャツ心臓相当部に案内することができるとともに、その案内された位置で心臓防護パットの凸状下部をポケット部の凹状底部の中央部に係合させて、心臓防護パットのシャツ心臓相当部からの移動を抑止することができる。
【００１５】
すなわち、ポケット部の凹状底部と心臓防護パットの凸状下部とをもって前記案内手段と前記移動抑止手段とを兼用構成することができ、これにより、球技中の着用者の心臓を効果的且つ確実に防護する上記第２特徴構成の効果を一層効果的に得ることができる。
【００１６】
本発明の第４特徴構成は、第１〜第３特徴構成のいずれかの実施に好適な実施形態を特定するものであり、その特徴は、
前記ポケット部のパット挿脱口が拡形側に弾性変形可能に構成され、そのパット挿脱口の拡形側への弾性変形により前記心臓防護パットの挿脱が可能とされている点にある。
【００１７】
つまり、上記第４特徴構成によれば、拡形側に弾性変形させたパット挿脱口を通じて心臓防護パットをポケット内部に挿入することができながらも、心臓防護パットがポケット部内部に挿入されたのちにはパット挿脱口が縮形側に弾性復元変形するから、ポケット内部に挿入された心臓防護パットがパット挿脱口から脱落するのを確実に防止することができて、球技中に着用者の動作による震動などのことで心臓防護パットが外れるなどの不具合を効果的に防止することができる。
【００１８】
本発明の第５特徴構成は、第４特徴構成の実施に好適な実施形態を特定するものであり、その特徴は、
前記心臓防護パットには、前記パット挿脱口に挿入される過程でパット挿脱口を拡形側に押し広げる挿入ガイド部が形成されている点にある。
【００１９】
つまり、上記第５特徴構成によれば、心臓防護パットに形成された挿入ガイド部によって心臓防護パットをパット挿脱口への挿入操作に伴いパット挿脱口を拡形側に弾性変形させることができて、例えば、心臓防護パットをパット挿脱口に挿入操作するのとは別にパット挿脱口を拡形操作する場合に比べ、その心臓防護パットをポケット部の内部に挿入するのに要する手間を低減することができる。
【００２０】
本発明の第６特徴構成は、心臓防護パットに係り、その特徴は、
請求項１〜５のいずれか１項に記載の球技用心臓防護シャツに用いられる心臓防護パットであって、
着用者に対する当て付け部が、パット周方向に沿って間隔を空けた状態で分散形成されている点にある。
【００２１】
つまり、上記第６特徴構成によれば、例えば、着用者に対する当て付け部が、パット周方向に沿って連続形成されている場合に比べ、前記ポケット部に挿入する際の変形抵抗を小さくすることができ、これにより、ポケット部に対する挿入操作を容易にすることができる。
【発明を実施するための最良の形態】
【００２２】
図１〜図８は、着用者の心臓部Ａを被覆防護するための発泡樹脂製の心臓防護パット１がシャツ心臓相当部２ｂに着脱自在に備えられている伸縮性素材製のメッシュ生地からなる野球用アンダーシャツ２（球技用心臓防護シャツの一例）を示し、このアンダーシャツ２には、着用者に対面する裏面（内面）のシャツ胸相当部に心臓防護パット１を挿脱可能なポケット部３が形成されているとともに、そのポケット内部（ポケット部３の内部）において心臓防護パット１のシャツ心臓相当部２ｂ（すなわち、着用者の心臓部Ａに対面する部位）からの移動を抑止する移動抑止手段４が設けられている。
【００２３】
更に、アンダーシャツ２には、ポケット内部において心臓防護パット１をシャツ心臓相当部２ｂに案内する案内手段５が設けられている。
【００２４】
前記ポケット部３は、ポケット内部の一部にシャツ心臓相当部２ｂを含むようにシャツ心臓相当部２ｂよりも大きな形状で形成されているとともに、前記心臓防護パット２は、ポケット部３よりも小さく、且つ、シャツ心臓相当部２ｂよりも若干大きな形状で形成されている。
【００２５】
そのため、心臓防護パット１がポケット部３のポケット内部に挿入された状態において、着用者の球技に伴う筋肉の動きや姿勢変更に応じ心臓防護パット１のポケット内部での若干の移動を許容することができる。
【００２６】
前記ポケット部３は、図３、図４に示すように、アンダーシャツ２を偏成する袖部形成布２Ａ、前身ごろ形成布２Ｂ、後身ごろ形成布２Ｃのうちの前身ごろ形成布２Ｂの裏面に対し伸縮性素材製のポケット部形成布３Ａを縫着して、アンダーシャツ２の袖部形成布２Ａと前身ごろ形成布２Ｂとの継目に沿う略直線状の左腕側部３ａと、アンダーシャツ２の首周り形状に沿う曲面状の天井部３ｂと、アンダーシャツ２のシャツ胸相当部の下方側に位置する凹形状の底部３ｃとからなる袋形状に構成され、その凹状底部３ｃの右端部と天井部３ｂの右端部との間に心臓防護パット１を挿脱するためのパット挿脱口３ｄが形成されている。
【００２７】
前記ポケット部３の底部３ｃは、シャツ肩幅方向中央線Ｃよりも左腕側、詳しくは、シャツ心臓相当部２ｂの下方側に位置する中央部３ｅから肩幅方向左腕側に向かって斜め上方向きに延びる左腕側傾斜底部３ｆと、中央部３ｅから肩幅方向右腕側に向かって斜め上方向きに延びる右腕側傾斜底部３ｇとを備える凹形状に形成されており、前記案内手段５として、ポケット内部の心臓防護パット１を重力や操作によって各傾斜底部３ｆ、３ｇに沿ってシャツ心臓相当部２ｂの下方側の中央部３ｅに案内する形態で心臓防護パット１をシャツ心臓相当部２ｂに案内する。
【００２８】
また、ポケット部３の凹状底部３ｃは、それの中央部３ｅが心臓防護パット１をシャツ心臓相当部２ｂに位置させる状態で後述する心臓防護パット１の凸状下部１ｇに係合可能な略Ｖの字状に構成されており、ポケット内部における心臓防護パット１のシャツ心臓相当部２ｂからの移動をそれらポケット部３の凹状底部３ｃの中央部３ｅと心臓防護パット１の凸状下部１ｇとの係合により抑止する前記移動抑止手段４に兼用されている。
【００２９】
そのため、着用者の球技に伴う筋肉の動きや姿勢変更に応じ心臓防護パット１のポケット内部での若干の移動を上述の如く許容して、着用時のプレーへの影響を極力小さなものとすることができながらも、移動抑止手段４によって心臓防護パット１のシャツ心臓相当部２ｂからの移動を上記係合により抑止して、心臓防護パット１がシャツ心臓相当部２ｂから外れるなどの不具合を効果的に抑止することができる。
【００３０】
なお、前記ポケット部３の左腕側部３ａは、アンダーシャツ２の袖部形成布２Ａと前身ごろ形成布２Ｂとを継ぐのに併せて、これら袖部形成布２Ａと前身ごろ形成布２Ｂとの共縫いによりアンダーシャツ２に縫着されている。
【００３１】
図５〜図７は、前述のアンダーシャツ２に着脱自在に備えられる心臓防護パット１を示し、この心臓防護パット１は、弾性変形が可能な比較的硬質の合成樹脂からなるパット本体１Ａの裏側（胸側）に、受止衝撃力（すなわち、球技時に外方からパット本体２に加わる衝撃力）を着用者の心臓部Ａから外れた部位へ伝達するように、心臓部Ａから外れた外側部位を当て付け対象とする軟質材料からなる複数の当て付け部１Ｂをパット本体１Ａの周方向に沿う環状配置で突出形成して構成されている（図２参照）。
【００３２】
前記パット本体１Ａは、着用時に心臓部Ａに対向配置される中央部位１ａの裏側に空間Ｓが形成されるように、中央部位１ａがそれの側方の外縁部位１ｂよりも表側に位置する略碗形状に形成されている。
【００３３】
前記パット本体１Ａの正面輪郭形状は、下端から肩幅方向左腕側に向かって斜め上方に曲面状に延びる左腕側傾斜曲辺部１ｃと、下端から肩幅方向右外側に向かって斜め上方に直線状に延びる右腕側傾斜辺部１ｄと、それら左腕側傾斜曲辺部１ｃと右腕側傾斜辺部１ｄの上端どうしを結ぶ円弧状辺部１ｅとからなる略木の葉状に構成されている。
【００３４】
つまり、左腕側傾斜曲辺部１ｃと右腕側傾斜辺部１ｄの下方部分からなる下部１ｇが、ポケット部３の凹状底部３ｃの中央部３ｅに対し心臓防護パット１がシャツ心臓相当部２ｂに位置する状態で係合可能な略Ｖの字状に構成されているとともに、左腕側傾斜曲辺部１ｃと右腕側傾斜辺部１ｄを挿入ガイド部１ｆとして、心臓防護パット１をアンダーシャツ２のポケット部３のパット挿脱口３ｄに挿入する過程において、それら左腕側傾斜曲辺部１ｃと右腕側傾斜辺部１ｄに沿ってパット挿脱口３ｄを拡形側に押し広げることができるように構成されている。
【００３５】
なお、パット本体１Ａの外縁部位１ｂには、パット周方向に沿う環状配置で複数の凹部１ｈが形成されていて、パット本体１の強度の向上を図ってある。
【００３６】
前記空間Ｓの胸側深さは、球技時の衝撃によるパット本体２の中央部位２Ａの設定胸側変位深さよりも大なる深さで形成してあり、これにより、外方からの衝撃による中央部位２Ａの変位によってパット本体１Ａが心臓部Ａに接触するのを防止する。
【００３７】
次に、前記アンダーシャツ２に対する前記心臓防護パット１の取り付け手順について説明する。
【００３８】
心臓防護パット１の両側部を内側に折り曲げた状態で保持して、心臓防護パット１を、それの凸状下部１ｇ側からアンダーシャツ２のパット挿脱口３ｄに差し込み（図８（イ）の状態）、その状態から、心臓防護パット１の挿入ガイド部１ｆでパット挿脱口３ｄを徐々に拡形側に押し広げながら（図８（ロ）の状態）、心臓防護パット１をパット挿脱口３ｄに徐々に挿入し、心臓防護パット１をポケット内部に挿入する。このとき、パット挿脱口３ｄは弾性復元力によって縮形側に変形するから、心臓防護パット１がパット挿脱口３ｄから脱落することはない。
【００３９】
そして、ポケット内部に挿入された心臓防護パット１は、重力や挿入者による操作によってポケット部３の左腕側傾斜底部３ｆに沿って凹状底部３ｃの中央部３ｅに向かって案内され、ポケット部３の凹状底部３ｃの中央部３ｅで心臓防護パット１の凸状下部１ｇが係合し、心臓防護パット１がシャツ心臓相当部２ｂに配置される状態で、アンダーシャツ２に取り付けられる（図４の状態）。
【００４０】
なお、パット本体１Ａを構成する比較的硬質の合成樹脂としては、例えば、ポリカーボネイド、ＡＢＳ、ＡＥＳ、ＰＰ、ＰＥ、ＰＥＴ、ＰＶＣなどを採用しており、また、当て付け部１Ｂを構成する軟質材料としては、例えば、ＥＶＡ、ＰＥ、ウレタン、発泡性ウレタン、オレフィン系エストラマーなどを採用している。
【００４１】
［その他の実施形態］
（１）前記心臓防護パット１の具体的構成は、前述の実施形態に示した如き構成に限られるものではなく、種々の構成変更が可能である。
【００４２】
（２）前述の実施形態では、球技用心臓防護シャツとして野球用のアンダーシャツ２を例に示したが、野球用に限らず種々の球技用であってもよく、また、アンダーシャツに限らずユニフォームなどであってもよい。
【００４３】
（３）前述の実施形態では、球技用心臓防護シャツが伸縮性素材製である場合を例に示したが、非伸縮性素材製であってもよい。
【００４４】
（４）前述の実施形態では、球技用心臓防護シャツをメッシュ生地から構成する場合を例に示したが、メッシュ生地に限らず、種々の生地から構成してもよい。
【００４５】
（５）前述の実施形態では、心臓防護パット１を挿脱可能なポケット部３を、球技用心臓防護シャツの裏面（内面）に形成する場合を例に示したが、球技用心臓防護シャツの表面（外面）に形成してもよい。
【００４６】
（６）前述の実施形態では、アンダーシャツ２におけるシャツ心臓相当部２ｂからの心臓防護パット１の移動を抑止する移動抑止手段４を構成するのに、ポケット部３の凹状底部３ｃの中央部３ｅを心臓防護パット１の下部１ｇに対し係合可能に構成する場合を例に示したが、例えば、ポケット部３の側部や天井部の一部を心臓防護パット１に対して係合可能に構成してもよく、或いは、ポケット部３を心臓防護パット１の一部に嵌合可能に構成したりしてもよく、要するに、シャツ心臓相当部２ｂからの心臓防護パット１の移動を抑止することができれば、どのような構成であってもよい。
【００４７】
（７）前述の実施形態では、ポケット部３の底部３ｃを略Ｖの字状の凹形状に構成する場合を例に示したが、これに限らず、曲面状や部分曲面状の凹形状などであってもよい。
【００４８】
（８）前述の実施形態では、心臓防護パット１の下部１ｇを略Ｖの字状の凸形状に構成する場合を例に示したが、これに限らず、曲面状や部分曲面状の凸形状などであってもよい。
【００４９】
（９）前述の実施形態では、前記ポケット部３を伸縮性素材製のポケット部形成布３Ａをもって構成する場合を例に示したが、これに限らず、非伸縮性素材製のポケット部形成布で構成してもよい。
【００５０】
（１０）前述の実施形態では、前記ポケット部が布製である場合を例に示したが、布製に限らずゴム製や柔軟性を備える合成樹脂製などであってもよく、種々の材料を適宜に選択すればよい。
【図面の簡単な説明】
【００５１】
【図１】本発明の球技用心臓防護シャツの着用状態を示す正面図
【図２】本発明の球技用心臓防護シャツの着用状態を示す側面断面図
【図３】本発明の球技用心臓防護シャツを示す一部破断正面図
【図４】本発明の球技用心臓防護シャツを示す裏面（内面）側説明斜視図
【図５】心臓防護パットの正面図
【図６】心臓防護パットの背面図
【図７】図５のＩ−Ｉ線断面図
【図８】本発明の球技用心臓防護シャツに対する心臓防護パットの取り付け手順を示す裏面側説明斜視図
【符号の説明】
【００５２】
Ａ          心臓部
１          心臓防護パット
１Ｂ        当て付け部
１ｆ        挿入ガイド部
１ｇ        下部
２          アンダーシャツ（球技用心臓防護シャツ）
２ｂ        シャツ心臓相当部
３          ポケット部
３ｃ        底部
３ｄ        パット挿脱口
３ｅ        中央部
４          移動抑止手段
５          案内手段
【図１】
2008050703.tif 000003
【図２】
2008050703.tif 000004
【図３】
2008050703.tif 000005
【図４】
2008050703.tif 000006
【図５】
2008050703.tif 000007
【図６】
2008050703.tif 000008
【図７】
2008050703.tif 000009
【図８】
2008050703.tif 000010